(57)【要約】【課題】清掃対象面７０から拭き取られて、清掃ブラシ１１と清掃ローラー４１に移着した、塵や埃、及び、ノズル６２aから噴射された液体を、効率よく除去することが出来る、清掃機を提供する。【解決手段】外周が放射状の繊毛体で成る清掃ブラシ１１と、外周が円筒状の弾性体で成る清掃ローラー４１とが、大カバー３１に回転可能に支持され、清掃ブラシ１１の回転軸と清掃ローラー４１の回転軸との中間の位置に、吐出横管６２と、吸引横管６４とが設けられ、吸引横管６４によって、清掃ブラシ１１と、清掃ローラー４１との表面に移着した塵や埃を吸引する機能を有する、清掃機である。【選択図】図４
2019193725.tif 000002
【特許請求の範囲】
【請求項１】
ローラー状の一対の清掃体が、カバーに回転可能に支持され、吐出管と吸引管とが、前記一対の清掃体の、一対の回転軸の中間位置に、前記一対の清掃体に、隣接して設置され、前記一対の清掃体の少なくとも一方の清掃体は、前記カバーに対して一方向に回転可能であることを特徴とする清掃機。
【請求項２】
前記一対の清掃体の、一方の清掃体の外周は、放射状の繊毛体で形成されている、請求項１に記載の清掃機。
【請求項３】
前記一対の清掃体は、前記カバーに対して一方向に回転可能で、かつ、前記一対の清掃体の回転可能な向きは、互いに逆向きに構成されている、請求項１又２に記載の清掃機。
【請求項４】
前記一対の清掃体は、互に接触して配置されている、請求項１乃至３の何れか１つに記載の清掃機。
【発明の詳細な説明】
【技術分野】
【０００１】
本発明は、ローラー状の清掃体によって、清掃対象面上の塵や埃を拭き取る清掃機に関する。
【背景技術】
【０００２】
清掃対象面の塵や埃を拭き取る清掃機は、ローラー状の清掃体を清掃対象面に押圧して清掃対象面の塵や埃を拭き取る構成の清掃機が多く在り、清掃体を液体で湿らせることによって、清掃対象面の塵や埃を清掃体に移着させ易くすることで、効率よく清掃対象面の塵や埃を拭き取ろうとする構成の装置も在る。この清掃体を湿らせる手段として、清掃体の内側に設置されたノズルから清掃体に向けて液体が噴射される構成が考えられている。
【０００３】
特許文献１に記載されている清掃機は、円筒状のスポンジ体で成る清掃体に、清掃体の内側に設置されたノズルから液体が噴射されることで、清掃体を湿らせている。この湿りの元である液体は、清掃体に移着している塵や埃と共に、吸引装置によって吸引されるように構成されている。
【０００４】
特許文献２に記載されている清掃機は、円筒状の清掃体の内側に設置されたノズルを清掃体に近づけて配置し、またノズルを複数設けることで、清掃体を均一に湿らせるように構成されている。
【先行技術文献】
【特許文献】
【０００５】
【特許文献１】実開昭５５−７８０６０号公報
【特許文献２】特開２０１４−２３３５２４号公報
【発明の概要】
【発明が解決しようとする課題】
【０００６】
特許文献１に記載の清掃機では、円筒状のスポンジ体で成る清掃体の内側に設置されたノズルから噴射される圧力水は、清掃体の内部が水で充満された状態で、ノズルから清掃体を支持している保持筒の内周面に向かって噴射されている。ノズルから清掃体に向かって放射状に噴射された水は、清掃体に付着した塵や埃等を除去する目的で送流されるが、このノズルは、保持筒の回転軸と同軸領域に設置されており、ノズルから保持筒の内周面までの噴射距離が遠い位置に設置されている。そのため、圧力水がノズルから清掃体を支持している保持筒に向けて噴射送流されている間の流動抵抗が大きく、噴射された圧力水が保持筒の内周面に届くまでの間に、その流勢が弱くなってしまう、といった欠点があった。
【０００７】
また、このノズルは、保持筒の回転軸方向に向いていて、かつ、噴射の向きは、保持筒の半径方向に対して角度を持っているため、ノズルから噴射された圧力水が、保持筒の内周面に均一に到達することが困難であり、保持筒に設けられた多数の小穴からスポンジ体に送流される水の流勢が不均一になってしまう、といった欠点があった。
【０００８】
また、清掃体の内側に水が充満されるとともに、清掃体の内側に充満した水は、そのまま保持筒に設けられた多数の小穴から清掃体に向かって放射状に送流されるため、水の使用水量が多くなる、という欠点があった。
【０００９】
また、円筒状の清掃体の内部に水が充満されると、その分、清掃機全体としての重量が増加するため、特に、この清掃機を手動で清掃対象面に対して移動させる場合に、手にかかる負担が大きくなり、清掃作業効率が低下する、といった欠点があった。
円筒状の清掃体を液体で湿らせると、清掃体を清掃対象面に押圧して拭き取る際、清掃対象面の塵や埃が、清掃体に移着しやすくなるため、効率よく清掃対象面の塵や埃を拭き取ることが出来る一方、清掃体の湿りの元である、清掃体に付着した液体を取り除くことが困難で、逆に清掃対象面を湿らせてしまう、という欠点があった。
【００１０】
特許文献２に記載の清掃機は、これらの欠点による課題を解決するために、円筒状の清掃体の内側に設置されたノズルを、円筒状の清掃体の内周面に近い領域に複数設け、水等の流体を噴射する構成としたが、その場合でも、流体の噴射は円筒状のスポンジ体で成る清掃体の内側から噴射させるため、スポンジ体の抵抗によって、この液体が、清掃対象面を拭き取る清掃体の外周面に到達し難い、という欠点があった。
【００１１】
そこで、本発明は、清掃体に付着している塵や埃を効率良く取り除き、装置の小型軽量化を可能とする清掃機を提供することを目的としている。
【課題を解決するための手段】
【００１２】
本発明は、上記課題を解決するため、（１）〜（４）に記載する清掃機を提供する。
【００１３】
（１）ローラー状の一対の清掃体がカバーに回転可能に支持され、吐出管と吸引管とが、前記一対の清掃体の、一対の回転軸の中間位置に、前記一対の清掃体に隣接して設置され、前記一対の清掃体の少なくとも一方の清掃体は、前記カバーに対して一方向に回転可能であることを特徴とする清掃機。
【００１４】
（２）前記一対の清掃体の、一方の清掃体の外周は、放射状の繊毛体で形成されている、（１）に記載の清掃機。
【００１５】
（３）前記一対の清掃体は、前記カバーに対して一方向に回転可能で、かつ、前記一対の清掃体の回転可能な向きは、互いに逆向きに構成されている、（１）又は（２）に記載の清掃機。
【００１６】
（４）前記一対の清掃体は、互に接触して配置されている、前記（１）乃至（３）の何れか１つに記載の清掃機。
【発明の効果】
【００１７】
本発明の清掃機によれば、一対の清掃体（清掃ブラシまたは清掃ローラー）は、ローラー状に構成されているが、清掃体に移着した塵や埃を効率良く取り除くことが出来る。
【００１８】
また、本発明の清掃機によれば、清掃体が常に良好な状態を保つことが出来るため、清掃体を清掃対象面に押圧して、清掃機を清掃対象面に対して滑らせることで、清掃対象面に付着している塵や埃を効率良く拭き取ることが出来る。
【００１９】
また、前記（２）に記載される本発明の清掃機によれば、一方の清掃体の外周部は、放射状の繊毛体で形成されているため、比較的大粒な塵や埃も効率良く拭き取ることが出来る。
【００２０】
また、前記（３）に記載される本発明の清掃機によれば、清掃体対象面を拭き取る際に、絶えず、一方の清掃体は清掃面に対して滑り、他方の清掃体は、転がるように回転するため、清掃対象面に付いた塵や埃を短時間に効率良く拭き取ることが出来る。
【００２１】
また、前記（４）に記載される本発明の清掃機によれば、隣接している一対の清掃体が、互いの清掃体に移着した塵や埃を互いに取り除き、または、互に取り除かれるため、清掃体に移着した塵や埃を、さらに効率良く取り除くことが出来る。
【００２２】
これらの理由により、本発明の清掃機によれば、高性能な拭き取り能力を有し、小型軽量で低コストで操作性の良好な清掃機を提供することが可能である。
【図面の簡単な説明】
【００２３】
【図１】本発明に係る清掃機を示す斜視図。
【図２】本発明に係る清掃機を示す上面図。
【図３】本発明に係る清掃機を示す側面図。
【図４】図２のＡ−Ａ線断面図。
【図５】図２のＢ−Ｂ線断面図。
【図６】図２のＣ−Ｃ線断面図。
【図７】図２のＤ−Ｄ線断面図。
【発明を実施するための形態】
【００２４】
本発明の実施の形態に係る清掃機について、図１乃至図７を参照して説明する。
【００２５】
本発明の実施の形態に係る清掃機は、ブラシ１０、前ワンウェイクラッチ２０、カバー３０、ローラー４０、後ワンウェイクラッチ５０、吸出管６０、を主な構成要素として構成されている。はじめに、これら主な構成要素の形状と位置関係を概略説明し、各構成要素の詳細は後述する。
【００２６】
ブラシ１０は、略円柱状に形成され、カバー３０に回転可能に支持され、一方向に回転し、その外周に、放射状に伸びている繊毛体で成る清掃ブラシ１１が形成されている。ローラー４０は、略円柱状に形成され、カバー３０に回転可能に支持され、清掃ブラシ１０とは逆向きに一方向に回転し、その外周に、円筒状の弾性体で成る清掃ローラー４１が形成されている。カバー３０は、薄板状の略逆容器状に形成されている。吸出管６０は、清掃ブラシ１１と清掃ローラー４１に付着している塵や埃を吸引する吸引管と、水や洗浄液を清掃対象面７０に向けて吐出する吐出管とを主な構成要素とし、カバー３０に固定されている。清掃ブラシ１１と清掃ローラー４１とは、清掃対象面７０に押圧されながら移動し、清掃対象面７０に付着している塵や埃を拭き取る。
【００２７】
ここで、放射状に伸びている繊毛体で成る清掃ブラシ１１は、放射状に伸びている多数の繊毛体が清掃ブラシ１１の回転軸の半径方向に同一の長さで形成されている。繊毛体の一つ一つは、互に隙間を持って形成されているが、これら繊毛体の先端を結んで見ると、略円形状に形成されている。換言すると、繊毛体同士の隙間を無視して清掃ブラシ１１を見た場合に、清掃ブラシ１１は、円筒状に形成されている。
【００２８】
ブラシ１０は、略円筒状に形成された清掃ブラシ１１が、カバー３０に回転可能に支持されているローラーとして構成されている。同様に、ローラー４０は、円筒状に形成された清掃ローラー４１が、カバー３０に回転可能に支持されているローラーとして構成されている。
【００２９】
ここで、「鉛直方向」とは、清掃対象面７０に対して鉛直な方向をいい、「水平方向」とは、清掃対象面７０に対して平行な方向をいう。
【００３０】
また、「上」とは、清掃対象面７０に対して鉛直方向に、清掃対象面から離れる向きをいい、「下」とは、同様に、清掃対象面７０に近づく向きをいう。
【００３１】
また、「前」とは、清掃対象面７０に対して平行方向で、本発明の清掃機が移動される直線方向で、ブラシ１０が配置されている向きをいい、「後」とは、同様に、ローラー４０が配置されている向きをいう。これに関連して、「横」とは、清掃対象面７０に対して平行方向で、本発明の清掃機が移動される直線方向に対して垂直な向きをいう。
【００３２】
カバー３０は、略逆容器状に形成された大カバー３１と、大カバー３１の上部に設置され略逆容器状に形成された小カバー３２とを主な構成要素として設けられている。
【００３３】
大カバー３１は、水平方向に板状の大天板３１aと、大天板３１aの両側端から下方向に延出している一対の板状の大側板３１ｂとで形成されている。大カバー３１を前方から見た場合には、下側が開いているコの字状に形成されている。尚、側端とは、横方向の端部である。
【００３４】
小カバー３２は、水平方向に板状の小天板３２aと、小天板３２ａの両側端から下方向に延出している一対の板状の小側板３２ｂと、小天板３２ａの前後端から下方向に延出している一対の板状の小前後板３２ｃとで、囲われて形成されている。
【００３５】
また、小カバー３２は、大カバー３１の大天板３１ａの上に設置されており、小天板３２ａ、一対の小側板３２ｂ、一対の小前後板３２ｃ、及び、大天板３１ａとで囲われた、空間３２ｄが、小カバー３２の内側に形成されている。尚、一対の大側板３１ｂと一対の小側板３２ｂの面は、同一の面となる位置に配置されている。
【００３６】
ブラシ１０は略円柱状に形成され、ブラシ１０の外周に放射状の繊毛体で成るブラシ１１が形成されている。清掃ブラシ１１は、円筒状に形成された前保持筒１２をその基部として、前保持筒１２の半径方向に外向きに放射状に繊毛体が伸びるように形成されている。また、この繊毛体一つ一つの隙間を無視して見た場合、清掃ブラシ１１は円筒状に形成されている。前保持筒１２の内径面には、前保持筒１２の内径と同一の外径を有する円盤状に形成された一対の前フランジ１３が固定されている。前フランジ１３の中心部には穴が空いており、細長円柱状の前軸１４が、一対の前フランジ１３の一対の穴を貫通して配置されている。これらの構成要素により、ブラシ１０は、ローラーとして構成されている。
【００３７】
一対の前フランジ１３は、一対の前フランジ１３の側面の外側面の間隔が、前保持筒１２の長さよりも短いように配置されている。すなわち、前保持筒１２の両端には、前保持筒１２の内径面と、一対の前フランジ１３の側面の外側面とで成る一対の空間が形成されている。
【００３８】
この、前保持筒１２の内径面と、一対の前フランジ１３の側面の外側面とで成る一対の空間には、一対の前ワンウェイクラッチ２０が設けられている。前ワンウェイクラッチ２０は、前クラッチ２１、前外輪２２、前内輪２３、とで構成され、前外輪２２と前内輪２３とは、それぞれフランジ付きの薄板状の円筒状に形成され、それぞれの中心軸が同軸に配置されている。前クラッチ２１は、前外輪２２と前内輪２３とを相対的に一方向のみに回転可能とする機能を有している。すなわち、前クラッチ２０は、前外輪２２が前内輪２３に対して、一方向のみに回転可能に構成されている。
【００３９】
前ワンウェイクラッチ２０の、前外輪２２のフランジ面は、側板３１ｂの内側面に固定され、前内輪２３のフランジ面は、前フランジ１３の側面の外側面に固定されている。すなわち、清掃ブラシ１１は、前保持筒１２、前フランジ１３、前ワンウェイクラッチ２０を介して、大カバー３１に一方向に回転可能に支持されている。
【００４０】
前軸１４は、清掃ブラシ１１よりも長い長さを有し、一対の前フランジ１３、一対の前ワンウェイクラッチ２０、一対の大側板３１ｂを貫通して配置され、前軸１４の一端はフランジ状に形成され、他端は前ナット１５で固定されることで、一対の大側板３１ｂに対して抜け止めされ、かつ、前軸１４は、大側板３１ｂに回転可能に支持されている。ここで、前軸１４は、清掃ブラシ１１の回転軸として機能している。
【００４１】
ブラシ１０の後方に、円柱状に形成されたローラー４０が設けられている。ローラー４０は、その外周に円筒状の弾性体で成る清掃ローラー４１が形成されている。また、清掃ローラー４１の内径側には、円筒状の弾性体で成る弾性ローラー４２が形成されている。ここで清掃ローラー４１の内径と弾性ローラー４２の外径は同一に形成されている。また、弾性ローラー４２の内径側には、円筒状の後保持筒４３が形成されている。ここで弾性ローラー４２の内径と後保持筒４３の外径は同一に形成されている。後保持筒４３の内径面には、後保持筒４３の内径と同一の外径を有する円盤状に形成された一対の後フランジ４４が固定されている。後フランジ４４の中心部には穴が開いており、細長円柱状の後軸４５が、一対の後フランジ４４の一対の穴を貫通して配置されている。これらの構成要素により、ローラー４０は、ローラーとして構成されている。
【００４２】
尚、清掃ローラー４１、弾性ローラー４２、後保持筒４３は、それぞれ円筒状に形成されているが、それぞれの長さは、同一に形成されており、それぞれの端面は、同一面の位置に配置されている。
【００４３】
一対の後フランジ４４は、一対の後フランジ４４の側面の外側面の間隔が、後保持筒４３の長さよりも短いように配置されている。すなわち、後保持筒４３の両端には、後保持筒４３の内径面と、一対の後フランジ４４の側面の外側面とで成る一対の空間が形成されている。
【００４４】
この、後保持筒４３の内径面と、一対の後フランジ４４の側面の外側面とで成る一対の空間には、一対の後ワンウェイクラッチ５０が設けられている。後ワンウェイクラッチ５０は、後クラッチ５１、後外輪５２、後内輪５３、とで構成され、後外輪５２と後内輪５３とは、それぞれフランジ付きの薄板状の円筒状に形成され、それぞれの中心軸が同軸に配置されている。後クラッチ５１は、後外輪５２と後内輪５３とを相対的に一方向のみに回転可能とする機能を有している。すなわち、後クラッチ５０は、後外輪５２が後内輪５３に対して、一方向のみに回転可能に構成されている。
【００４５】
後ワンウェイクラッチ５０の、後外輪５２のフランジ面は、側板３１ｂの内側面に固定され、後内輪５３のフランジ面は、後フランジ４４の側面の外側面に固定されている。すなわち、清掃ローラー４１は、弾性ローラー４２、後保持筒４３、後フランジ４４、後ワンウェイクラッチ５０を介して、大カバー３１に一方向に回転可能に支持されている。
【００４６】
後軸４５は、清掃ローラー４１よりも長い長さを有し、一対の後フランジ４４、一対の後ワンウェイクラッチ５０、一対の大側板３１ｂを貫通して配置され、後軸４５の一端はフランジ状に形成され、他端は後ナット４６で固定されることで、一対の大側板３１ｂに対して抜け止めされ、かつ、後軸４５は、大側板３１ｂに回転可能に支持されている。ここで、後軸４５は、清掃ローラー４１の回転軸として機能している。
【００４７】
ここで、清掃ブラシ１１と清掃ローラー４１とは、一対の大側板３１ｂの内側に配置され、清掃ブラシ１１と清掃ローラー４１の長さは、一対の側板３１ｂの内側面の距離よりも僅かに短く形成されている。すなわち、清掃ブラシ１１と清掃ローラー４１とは、ほぼ同一の長さを有し、それぞれの回転軸線は平行に配置され、それそれの軸方向の移動は、一対の側板３１ｂによって制限されるように構成されている。
【００４８】
次に、吸出管６０の構成、及び、吸出管６０と関連性の高い構成要素について詳細に説明する。
【００４９】
円筒状に形成されているハンドル６３が、小天板３２ａを貫通して、小天板３２ａに固定されて設けられ、円筒状のグリップ６６が、ハンドル６３の外周を覆うように、ハンドル６３に固定されて設けられている。グリップ６６は、グリップ６６を人の手で掴んだ時に、手が滑り難いように、弾性体でなり、また、表面には微小な凹凸が形成されている。ここで、グリップ６６に覆われているハンドル６３は、小カバー３２の小天板３２aに固定されているが、小カバー３２は、大カバー３１の大天板３１aに固定されている。また、カバー３０は、小カバー３２と大カバー３１とを主な構成要素としている。従って、ハンドル６３、グリップ６６、及び、カバー３０、これら三つの要素をまとめて見ると、本発明の清掃機の本体として構成されている。
【００５０】
ハンドル６３の一方の先端には、一対の大側板３１ｂが在る方向に長く伸びる箱状の吸引横管６４が設置されている。吸引横管６４は、６つの面で囲われる横長の立方体で形成され、その長さは、大カバー３１、および、小カバー３２の横幅と同一の長さを有しており、吸引横管６４、大カバー３１、小カバー３２の、それぞれの横幅方向の面の位置は、同一の面に配置されている。すなわち、吸引横管６４の対向する一対の横端面と、一対の大側板３１ｂと、一対の小側板３２ｂの面とは、同一の面となる位置に配置されている。尚、前記のハンドル６３の一方の先端とは、ハンドル６３が小天板３２ａを貫通している方の先端であり、より具体的には、前記の先端は、小天板３２ａを貫通して、小天板３２ａよりも大天板３１ａに近い位置に配置されている。
【００５１】
また、立方体に形成されている吸引横管６４には、円筒状に形成されているハンドル６３の直径と同一径の連通穴６４ａが開いており、連通穴６４aを通じて、ハンドル６３の内部空間と吸引横管６４の内部空間とは連通している。
【００５２】
立方体に形成されている吸引横管６４の、少なくとも２つの面は、大天板３１ａを貫通して配置されている。すなわち、大天板３１ａには、大天板３１ａを貫通している吸引横管６４の少なくとも２つの面のサイズに対応した穴または切り欠きが空いており、大天板３１ａを貫通している吸引横管６４の少なくとも２つの面は、大天板３１ａよりも、清掃ブラシ１１や清掃ローラー４１に近い位置に配置されている。
【００５３】
立方体に形成されている吸引横管６４の、天板３１ａを貫通して配置されている少なくとも二つの面の内、一つの面は、前軸１４に向いて配置されており、この面には、前軸１４の回転軸線に平行向きに長い長穴状に形成された、前長穴６４ｂが設けられている。また同様に、立方体で形成されている吸引横管６４の、天板３１ａを貫通して配置されている少なくとも二つの面の内、別の一つの面は、後軸４５に向いて配置されており、その面には、後軸４５の回転軸線と平行向きに長い長穴状に形成された、後長穴６４ｃが設けられている。
【００５４】
これを換言すると、前長穴６４ｂが、清掃ブラシ１１に向いて空いており、清掃ブラシ１１の回転軸線と平行向きに長い長穴状に形成され、後長穴６４ｃが、清掃ローラー４１に向いて空いており、清掃ローラー４１の回転軸線と平行向きに長い長穴状に形成されている。
【００５５】
前長穴６４ｂは、清掃対象面７０から清掃ブラシ１１に移着した塵や埃を吸い取るための穴として設けられている。同様に、後長穴６４ｃは、清掃対象面７０から清掃ローラー４１に移着した塵や埃を吸い取るための穴として設けられている。
【００５６】
ハンドル６３の、吸引横管６４が設置されていない一端には、ポンプ等の吸引装置（図示せず）が設けられており、清掃ブラシ１１と清掃ローラー４１とに移着した塵や埃は、この吸引装置によって、図中の矢印Ｋの向きで示されるように、前長穴６４ｂと後長穴６４ｃとから、吸引横管６４とハンドル６３との内部空間に向けて、周辺の空気と共に吸引され、さらに、吸引横管６４とハンドル６３との内部空間から、前記の吸引装置に向かって移送される。
【００５７】
ここで、前長穴６４ｂは、清掃ブラシ１１に移着した塵や埃を吸い取るための吸引口であり、後長穴６４ｃは、清掃ローラー４１に移着した塵や埃を吸い取るための吸引口として作用する。つまり、吸引横管６４は、清掃ブラシ１１と清掃ローラー４１とに移着した塵や埃を吸い取る吸引管として設けられている。
【００５８】
円筒状に形成されたハンドル６３の内部には、ハンドル６３よりも径小な円筒状に形成された吐出曲管６１が設けられている。吐出曲管６１は、吸引横管６４の内部にも連続して形成され、吸引横管６４の内部で曲がり、吐出曲管６１の一端は、吸引横管６４の横方向の一方の面を貫通して飛び出ている。
【００５９】
前軸１４と後軸４５の中間に、前軸１４や後軸４５の回転軸線に平行方向に伸びる円筒状に形成された吐出横管６２が設けられている。吐出横管６２は、水平方向には、前軸１４と後軸４５との中間に配置され、かつ、鉛直方向には、前軸１４と後軸４５よりも清掃対象面７０に近い領域に配置されている。また、吐出横管６２は、水平方向には、清掃ブラシ１１と清掃ローラー４１との中間位置で、かつ、清掃ブラシ１１と清掃ローラー４１のいずれにも干渉しない領域に配置されている。
【００６０】
円柱状に形成されている吐出横管６２の一端は、一対の大側板３１ｂの一方の面に接し、開口部は塞がれて、一対の大側板３１ｂの一方の面に固定されている。吐出横管６２の他方の一端は、一対の大側板３１ｂの他方の面を貫通して飛び出ている。
【００６１】
吸引横管６４の横方向の一方の面を貫通して飛び出ている吐出曲管６１の一端には、上開口穴６１ａが形成されており、大側板３１ｂの面を貫通して飛び出ている吐出横管６２の一端には、下開口穴６２ｂが形成されている。ここで、上開口穴６１ａは、下開口穴６２ｂよりも上側に配置されている。
【００６２】
吐出曲管６１と吐出横管６２とは、上下方向に伸びて円筒状に形成されている吐出連通管６５によって、それぞれの内部空間が連通されている。すなわち、吐出連通管６５は、両端が開口した管状部材であり、その上側の一端の上開口部６５ａは、上開口穴６１ａの外周を隙間なく覆い、その下側の一端の下開口部６５ｂは、下開口穴６２ｂの外周を隙間なく覆っている。
【００６３】
吐出横管６２には、複数の穴が空いており、これら複数の穴で成るノズル６２ａが形成されている。吐出曲管６１の、上開口穴６１ａが形成されていない一端には、ポンプ等の吐出装置（図示せず）が設けられており、図中の矢印Ｊの向きで示されるように、この吐出装置によって、別途に蓄えられている液体（図示せず）を吐出曲管６１に移送し、この液体は、吐出連通管６５を介して、吐出横管６２に移送され、複数のノズル６２ａから清掃対象面７０に向けて吐出される。尚、ここで言う液体とは、清掃対象面７０に付着している塵や埃等の汚れを効率良く拭き取るための水や洗浄液である。
【００６４】
つまり、複数のノズル６２aが設けられている吐出横管６２は、清掃対象面７０に付着している塵や埃等の汚れを効率良く拭き取るための水や洗浄液をノズル６２aから吐出する吐出管として設けられている。
【００６５】
グリップ６６は、グリップ６６を人の手で掴んで、人の手からの力によって本発明の清掃機を清掃対象面７０に対してスライドさせて清掃対象面７０を拭き取る目的で設けられている。清掃対象面７０を拭き取る際には、清掃ブラシ１１と清掃ローラー４１とを、清掃対象面７０に押圧させながら、本発明の清掃機を、清掃ブラシ１１または清掃ローラー４１とが回転されるべき方向に往復運動させながら移動させる。
【００６６】
ここで、本発明の清掃機が清掃対象面７０を拭き取る際に往復運動される方向は、清掃対象面７０に並行で、清掃ブラシ１１または清掃ローラー４１の回転軸方向に対して垂直な方向、すなわち、清掃ブラシ１１または清掃ローラー４１が回転して転がる方向となり、図４に於いて、図中の矢印Ｅが示すように本発明の清掃機が前方に移動し、その反対に、後方にも移動するような、往復運動である。
【００６７】
清掃ブラシ１１は、ワンウェイクラッチ２０によって一方向のみに回転可能であるが、清掃対象面７０を拭き取る際、本発明の清掃機が前方（矢印Ｅの方向）に移動する時に回転可能で、後方（矢印Ｅと反対の方向）に移動する時に回転不能に構成されている。換言すれば、清掃ブラシ１１は、ワンウェイクラッチ２０によって、図３と図４に於いて、左回り（矢印Ｆの方向）の一方向にのみ回転可能に構成されている。
【００６８】
一方、清掃ローラー４１は、ワンウェイクラッチ２０によって一方向のみに回転可能であるが、清掃対象面７０を拭き取る際、本発明の清掃機が前方（矢印Ｅの方向）に移動する時に回転不能であり、後方（矢印Ｅと反対の方向）に移動する時に回転可能になるように構成されている。換言すれば、清掃ローラー４１は、ワンウェイクラッチ２０によって、図３と図４に於いて、右回り（矢印Ｇの方向）の一方向にのみ回転可能に構成されている。
【００６９】
清掃対象面７０を拭き取る際、本発明の清掃機を前方（矢印Ｅの方向）に移動させると、清掃ローラー４１は回転不能であり、清掃対象面７０に対して滑りながら清掃対象面７０を拭き取り、清掃対象面７０に付着している塵や埃が、清掃ローラー４１の表面に移着される。
【００７０】
同様に、清掃対象面７０を拭き取る際、本発明の清掃機を後方（矢印Ｅと反対の方向）に移動させると、清掃ブラシ１１は、回転不能であり、清掃対象面７０に対して滑りながら清掃対象面７０を拭き取り、清掃対象面７０に付着している塵や埃が、清掃ブラシ１１の表面に移着される。
【００７１】
また、清掃対象面７０を拭き取る際、ノズル６２ａからは液体が清掃対象面７０に向けて吐出され、清掃対象面７０に付着している塵や埃は、この液体と共に、清掃ブラシ１１または清掃ローラー４１に移着される。
【００７２】
清掃ブラシ１１に移着している、塵や埃、及び、ノズル６２ａから吐出された液体は、本発明の清掃機を前方に移動させる時に、清掃ブラシ１１が回転することで前長穴６４ｂに近づき、前長穴６４ｂから吸引横管６４とハンドル６３との内部空間に吸引され、さらに、吸引横管６４とハンドル６３との内部空間から、ハンドル６３の上側の一端に設けられた吸引装置（図示せず）に向けて移送される。
【００７３】
同様に、清掃ローラー４１に移着している、塵や埃、及び、ノズル６２ａから吐出された液体は、本発明の清掃機を後方に移動させる時に、清掃ローラー４１が回転することで後長穴６４ｃに近づき、後長穴６４ｃから吸引横管６４とハンドル６３との内部空間に吸引され、さらに、吸引横管６４とハンドル６３との内部空間から、ハンドル６３の上側の一端に設けられた吸引装置（図示せず）に向けて移送される。
【００７４】
また、繊毛体で成る清掃ブラシ１１の外周面は、清掃ローラー４１の外周面と接触しており、清掃ブラシ１１が回転可能な時には清掃ローラー４１は回転不能であり、反対に、清掃ブラシ１１が回転不能な時には清掃ローラー４１は回転可能なため、清掃ブラシ１１の表面と清掃ローラー４１の表面とは、常に滑りを生じている。このため、清掃ブラシ１１は、清掃ローラー４１に付着している塵や埃、及び、ノズル６２ａから噴射された液体を、清掃ブラシ１１に移着させる作用も兼ね備えている。
【００７５】
同様に、清掃ローラー４１は、清掃ブラシ１１に付着している塵や埃、及び、ノズル６２ａから吐出された液体を、清掃ブラシ４１に移着させる作用も兼ね備えている。
【００７６】
以上説明した本実施例の形態によれば、以下の効果が得られる。
【００７７】
本発明の清掃機によれば、清掃ブラシ１１に移着している塵や埃を、前長穴６４ｂから吸引横管６４とハンドル６３との内部空間に吸引することで、効率良く取り除くことが出来る。また同様に、清掃ローラー４１に移着している塵や埃を、後長穴６４ｃから吸引横管６４とハンドル６３との内部空間に吸引することで、効率良く取り除くことが出来る。
【００７８】
また、清掃ブラシ１１や清掃ローラー４１に移着している塵や埃が、効率良く取り除かれることで、清掃ブラシ１１や清掃ローラー４１の表面は、常に良好な状態を保つことが出来るため、清掃ブラシ１１や清掃ローラー４１を清掃対象面７０に押圧してスライドさせることによって、清掃対象面７０に付着している塵や埃を効率良く拭き取ることが出来る。
【００７９】
また、清掃ブラシ１１によって、清掃ローラー４１に移着している塵や埃、及び、ノズル６２ａから噴射された液体を、さらに効率良く取り除くことが出来る。清掃ローラー４１の表面が、さらに常に良好な状態を保つことが出来るため、清掃対象面７０に付着している塵や埃をさらに効率良く拭き取ることが出来る。
【００８０】
同様に、清掃ローラー４１によって、清掃ブラシ１１に移着した塵や埃、及び、ノズル６２ａから吐出された液体を、さらに効率良く取り除くことが出来る。清掃ブラシ１１の表面が、さらに常に良好な状態を保つことが出来るため、清掃対象面７０に付着している塵や埃をさらに効率良く拭き取ることが出来る。
【００８１】
清掃ブラシ１１と清掃ローラー４１とを比較すると、清掃ブラシ１１は、放射状に伸びた繊毛体で成るため、前記繊毛体の隙間に、清掃対象面７０に付着している塵や埃が入り込み、比較的大きな塵や埃も移着させる。一方、清掃ローラー４１は、円筒状の弾性体で成るため、清掃対象面７０に接触している面積が比較的大きく、比較的小さな塵や埃を移着させる。このため、清掃対象面７０に付着している、比較的大きな塵や埃も、比較的小さな塵や埃も、効率良く拭き取ることが出来る。
【００８２】
清掃ブラシ１１と清掃ローラー４１とは、清掃対象面７０に対して、一方が滑りながら移動され、他方が転がりながら移動され、すなわち、それぞれ異なる動作で移動され、清掃対象面７０に付着している塵や埃を、異なる形態で移着させるため、様々な形態の塵や埃を効率良く拭き取ることが出来る。
【００８３】
これらの理由により、本発明の清掃機によれば、良好な拭き取り能力を有し、小型軽量で低コストで操作性の良好な清掃機を提供することが可能である。
【００８４】
上記では、清掃ブラシ１１および清掃ローラー４１は、いずれも一方向にのみ回転可能であったが、清掃ブラシ１１と清掃ローラー４１の、どちらか一方だけが一方向に回転可能で、他方は、両方向に回転可能に構成しても良い。言い換えれば、前ワンウェイクラッチ２０と後ワンウェイクラッチ５０の、どちらか一方が設けられなくても良い。これは、上記では、清掃ブラシ１１および清掃ローラー４１は、回転不能な時に清掃対象面７０に対して滑りを生じながら清掃対象面７０を拭き取る作用としての説明であったが、清掃ブラシ１１および清掃ローラー４１は、回転可能な時にも清掃対象面７０に対して転がりながら清掃対象面７０に付着している塵や埃を移着させる作用も兼ね備えているからである。
【００８５】
また、上記では、ハンドル６３の、吸引横管６４が設置されていない一端には、ポンプ等の吸引装置を設け、吐出曲管６１の、上開口穴６１ａが形成されていない一端には、ポンプ等の吐出装置を設ける構成としていたが、この吸引装置と吐出装置とは、吸引口と吐出口を備えた１つのポンプで構成し、前記の吸引口を吸引装置として、前記の吐出口を吐出装置として活用しても良い。この場合、本発明の清掃機を、より小型軽量化することが出来る。
【００８６】
また、上記では、ノズル６２aからは、水や洗浄液等の液体が吐出されるとしていたが、ノズル６２aからは、水や洗浄液等の液体と空気等の気体とが混合した流体であっても良い。
【符号の説明】
【００８７】
１０…ブラシ、１１…清掃ブラシ、１２…前保持筒、１３…前フランジ、１４…前軸、１５…前ナット、２０…前ワンウェイクラッチ、２１…前クラッチ、２２…前外輪、２３…前内輪、３０…カバー、３１…大カバー、３２…小カバー、４０…ローラー、４１…清掃ローラー、４２…弾性ローラー、４３…後保持筒、４４…後フランジ、４５…後軸、４６…後ナット、５０…後ワンウェイクラッチ、５１…後クラッチ、５２…後外輪、５３…後内輪、６０…吸出管、６１…吐出曲管、６２…吐出横管、６２a…ノズル、６３…ハンドル、６４…吸引横管、６５…吐出連通管、６６グリップ…、７０…清掃対象面
【図１】
2019193725.tif 000003
【図２】
2019193725.tif 000004
【図３】
2019193725.tif 000005
【図４】
2019193725.tif 000006
【図５】
2019193725.tif 000007
【図６】
2019193725.tif 000008
【図７】
2019193725.tif 000009